(57)【要約】【課題】複合管を無端ループ状に配管して所要箇所よりチーズで分岐して入力及び出力を得る配管構造を提案する。【解決手段】複数種類のガスを使用する施設の外壁面に沿って、複合管からなる１本のガス配管を無端ループ状に配設し、その管路の途中に入力用チーズを取り付けて主幹ガス管からのガスを供給すると共に、同じ管路の途中に１乃至複数の出力用チーズを取り付け、施設の内壁面に設けたアウトレットに分岐接続してガスを供給する。また、上記構成の配管構造を一単位ユニットとして、複数のユニットを複数並列させて配管する。複合管は、アルミニウム製パイプの内側及び外側を樹脂で被覆した三層管、金属製パイプの外側を樹脂で被覆してなる二層管、又は、銅とアルミニウムからなる二層管とした。これらの配管構造において、入力用チーズ及び出力用チーズとの接続はワンタッチ接続継手によるものとした。【選択図】図１
2014224596.tif 000002
【特許請求の範囲】
【請求項１】
複数種類のガスを使用する施設の外壁面に沿って、複合管からなる１本のガス配管を無端のループ状に配設し、その管路の途中に入力用チーズを取り付けて主幹ガス管からのガスを供給すると共に、同じ管路の途中に１乃至複数の出力用チーズを取り付け、施設の内壁面に設けたアウトレットに分岐接続してガスを供給することを特徴とする配管構造。
【請求項２】
請求項１に係る配管構造を一単位ユニットとして、複数のユニットを複数並列させて配管したことを特徴とする配管構造。
【請求項３】
複合管が、アルミニウム製パイプの内側及び外側を樹脂で被覆してなる三層管である請求項１又は請求項２記載の配管構造。
【請求項４】
複合管が、金属製パイプの外側を樹脂で被覆してなる二層管である請求項１又は請求項２記載の配管構造。
【請求項５】
二層管の外側樹脂層の肉厚が０．２５〜３．０ｍｍである請求項４記載の配管構造。
【請求項６】
複合管が、内側が銅製、外側がアルミニウム製のパイプからなる二層管である請求項１または請求項２記載の配管構造。
【請求項７】
複合管が、内側がアルミニウム製、外側が銅製のパイプからなる二層管である請求項１または請求項２記載の配管構造。
【請求項８】
入力用チーズ及び出力用チーズとの接続はワンタッチ接続継手による請求項１から請求項７の何れか１項記載の配管構造。
【請求項９】
ガス配管は、複数のユニットのガス配管を水平方向に並列して施設を囲むように配設する請求項１から請求項８の何れか１項記載の配管構造。
【請求項１０】
施設の外壁面にＬ字アングルを取り付け、その水平杆の上面または下面にガス配管を並列して取り付ける請求項９記載の配管構造。
【請求項１１】
施設の外側の天井面に直接ガス配管を並列して取り付ける請求項９記載の配管構造。
【請求項１２】
ガス配管は、複数のユニットのガス配管を垂直方向に並列して施設を囲むように配設する請求項１から請求項８の何れか１項記載の配管構造。
【請求項１３】
複数の出力用チーズを断面π形状の枠体に列設固定してなる取付枠体を形成してこれを施設の外壁面に縦方向に固定すると共に、各チーズの出力側の接続継手を内壁面側に貫通、露出させてアウトレットとした請求項１２記載の配管構造。
【請求項１４】
複合管の外側層は、ガスの種類ごとに色を設定して着色し、色によりガスの種類を識別できるようにした請求項１から請求項１３の何れか１項記載の配管構造
【発明の詳細な説明】
【技術分野】
【０００１】
この発明は、例えば手術室や集中治療室など、複数種類の医療用ガスを集中的に使用する施設におけるガスの配管構造に関するものである。
【背景技術】
【０００２】
従来、病院等における手術室や集中治療室などの各施設において、酸素ガス、笑気ガス、圧縮空気などの複数種類のガスが、その目的に応じて使用されている。これらのガスを供給するために、ガスボンベ等のガス供給源から各施設までの配管としては、ガス供給源に直接接続される口径の大きい主幹ガス管と、この主幹ガス管から各施設の所定位置まで分岐して配管される分岐管とが使用される。そして、各室の所定位置には各種コネクタを備えたアウトレット（配管端末器）が設けられている。また、分岐管は、所要の長さに切断された複数の直線管をエルボ管や継手で接続してこのアウトレットまで配管するのが一般的であった。
【０００３】
そのため、直線管やエルボ管の配置の設計や各種加工、現場における継ぎ作業等、配管作業には多くの手間と時間を要するもので、コスト高の要因となっていた。また、継手部分からのガス漏れの発生の可能性も高いものであった。
【０００４】
そこで、例えば特許文献１に開示されているように、医療ガスの主幹ガス管から各施設のアウトレットまでを、継手・継目なしの可撓性ガス管によって分岐接続することが提案されている。
【先行技術文献】
【特許文献】
【０００５】
【特許文献１】特開２００２−１４７６４８号公報
【発明の概要】
【発明が解決しようとする課題】
【０００６】
しかしながら、同文献に開示されている技術では、可撓性ガス管として巻銅管を使用するものであったから、なお、一部にはろう付け等を行う必要があったほか、正確に曲げ加工をする必要があるなど、作業性の改善が望まれている。また、巻銅管は、本来、耐久性、加工性、気密性の上からは好ましいが、使用するガスによっては腐食する可能性が残るという課題がある。
【０００７】
また、外層フィルム付銅管を用いることも考えられるが、この場合、ろう付けを行うと外層フィルムが溶けるため、改めて塗装、着色する必要がある。さらに、外層フィルム付銅管の場合、曲げ加工部分では外層フィルムが追随せず裂けてしまうので、その部分にも塗装、着色する必要がある。
【０００８】
本発明は、かかる実情に鑑みて発明をしたものであって、配管の素材として少なくとも外側に樹脂層を有する複合管を用いることとし、さらに、これを無端ループ状に配管して所要箇所よりチーズにより分岐して入力及び出力を得るようにした配管構造を提案するものである。
【課題を解決するための手段】
【０００９】
上述した課題を解決するため、本発明に係る配管構造は、複数種類のガスを使用する施設の外壁面に沿って、複合管からなる１本のガス配管を無端のループ状に配設し、その管路の途中に入力用チーズを取り付けて主幹ガス管からのガスを供給すると共に、同じ管路の途中に１乃至複数の出力用チーズを取り付け、施設の内壁面に設けたアウトレットに分岐接続してガスを供給するという手段を採用した。
【００１０】
また、上記構成に係る配管構造を一単位ユニットとして、複数のユニットを複数並列させて配管するという手段を採用した。
【００１１】
そして、上記複合管が、アルミニウム製パイプの内側及び外側を樹脂で被覆してなる三層管であるという手段を採用した。
【００１２】
または、上記複合管が、金属製パイプの外側を樹脂で被覆してなる二層管であるという手段を採用した。
【００１３】
そして、この二層管の外側樹脂層の肉厚が０．２５〜３．０ｍｍであるという手段を採用した。
【００１４】
または、別の手段として、複合管が、内側が銅製、外側がアルミニウム製のパイプからなる二層管であるという手段を採用した。
【００１５】
さらにまた、複合管が、内側がアルミニウム製、外側が銅製のパイプからなる二層管であるという手段を採用した。
【００１６】
そして、これらの配管構造において、入力用チーズ及び出力用チーズとの接続はワンタッチ接続継手によるものとした。
【００１７】
かかる配管構造によれば、ループ状のガス配管に均等に一定圧のガスが供給されるので、任意の箇所から出力用チーズを介してガスを分岐させても、同じ安定したガス圧力を得ることができる。
【００１８】
そして、一手段として、ガス配管は、複数のユニットのガス配管を水平方向に並列して施設を囲むように配設するという手段を採用した。
【００１９】
具体的には、施設の外壁面にＬ字アングルを取り付け、その水平杆の上面または下面にガス配管を並列して取り付けるという手段を採用した。
【００２０】
また、施設の外側の天井面に直接ガス配管を並列して取り付けるという手段を採用した。
【００２１】
また、他の手段として、ガス配管は、複数のユニットのガス配管を垂直方向に並列して施設を囲むように配設するという手段を採用した。
【００２２】
そして、この場合、複数の出力用チーズを断面π形状の枠体に列設固定してなる取付枠体を形成してこれを施設の外壁面に縦方向に固定すると共に、各チーズの出力側の接続継手を内壁面側に貫通、露出させてアウトレットとするという手段を採用した。
【００２３】
また、複合管の外側層は、ガスの種類ごとに色を設定して着色し、色によりガスの種類を識別できるようにするという手段を採用した。
【発明の効果】
【００２４】
上記構成にかかる本発明の配管構造によれば、ガス配管の各ユニットは複合管を用いて施設を囲むように無端ループ状に配管し、管路上に一つの入力用チーズと１乃至複数の出力用チーズを接続しているので、管路内のガス圧力は常に均等に維持され、どの出力用チーズを開栓しても一定の安定した圧力のガスを供給できるという優れた効果が期待できるものである。
【００２５】
この場合、配管にアルミニウム製パイプの内側及び外側を樹脂で被覆してなる三層管や金属製パイプの外側を樹脂で被覆してなる二層管などの複合管を用いることで、その接続をワンタッチ接続継手で行うことができると共に、曲げ加工が容易であるので、配管作業を極めて容易に行うことでき、設備の施工、管理が容易となる利点がある。そして、このようにワンタッチ継手を用いることで、ろう付け作業を省略することができるので、例えば従来の外層フィルム付銅管のように、外層フィルムが溶けることで、改めて塗装、着色する手間を省くことができる。
【００２６】
また、内側が銅製、外側がアルミニウム製のパイプからなる二層管、または、内側がアルミニウム製、外側が銅製のパイプからなる二層管などの複合管を用いる場合、銅が展性に富むことから曲げ加工が容易であり、アルミニウムは軽量強靱で、配管構造の全体重量を軽くすることができる。
【００２７】
また、複数のユニットのガス配管を水平方向に並列させて行う場合は、Ｌ字アングルを用いることで、容易に配管することができ、各出力用チーズからアウトレットへの接続も管の配設が容易である。
【００２８】
一方、複数のユニットのガス配管を垂直方向に並列させて行う場合は、複数の出力用チーズを枠体に列設固定した取付枠体を形成することで、出力用チーズの出力側の接続継手を直接アウトレットとすることができるので、出力用チーズとアウトレットとの配管接続を省略できるものである。これにより、コストの低減を図ることができる。
【００２９】
そして、各配管には金属製パイプを樹脂で被覆してなる複合管を用いることで、接続や曲げ加工が容易となることは勿論、外側樹脂層をガスの種類ごとに設定した色で着色することで、使用ガスの識別が容易となり、誤認による事故を確実に防ぐという効果が期待できると共に、美感が向上する。
【図面の簡単な説明】
【００３０】
【図１】本発明に係る配管構造の全体の概略を示す斜視図である。
【図２】同じく平面図である。
【図３】配管のチーズ部分の具体例を示す説明図である。
【図４】配管構造の他の実施形態を示す斜視図である。
【図５】同じく平面図である。
【図６】チーズの取付枠体の側面図及び平面図である。
【図７】三層管の構造の例を示す斜視図である。
【発明を実施するための形態】
【００３１】
以下、本発明に係る配管構造を、図面に示す幾つかの好ましい実施形態について説明する。
【００３２】
図１、２において、（Ｒ）は手術室や集中治療室などの複数種類のガスを必要とする施設であり、その外壁面（Ｗ）に沿って１本のガス配管１を無端のループ状に配設したものを一単位ユニットとして、複数のユニットのガス配管１、１・・・を配設している。このガス配管１は、複合管の例として、例えば、屈曲自在な、アルミニウム製パイプの内側及び外側を樹脂で被覆してなる三層管からなり、この実施形態では水平方向に並列して（本図では８本）施設（Ｒ）を囲むように配設している。２はワンタッチ継手を有する入力用チーズで、上記ループ状のガス配管１の途中にこのワンタッチ継手を介して取り付けたもので、主幹ガス管（図示せず）から分岐した銅管（Ｐ）を、途中に適宜な継手により開閉バルブ３を介在させて接続し、ガス配管１内に所要のガスを供給するものである。
【００３３】
４、４・・はワンタッチ継手を有する出力用チーズで、上記ループ状のガス配管１の途中にこのワンタッチ継手を介して取り付けたものであり、その分岐した出力側は銅管変換継手５、５・・・を介して、既存のアウトレット（配管端末器）（Ｏ）に接続している。このアウトレットは、ガスの種類ごとに接続継手を備えたもので、従来から使用されているものである。そのため、三層管のガス配管１からアウトレット（Ｏ）の既存の継手に接続するために銅管変換継手５を介在させるものである。
【００３４】
また、このアウトレットは、必要に応じて施設（Ｒ）の内壁の任意の複数の場所に設けることができる。さらに、図示するように、天井にアウトレットを設けることも可能であり、前記と同様にループ状のガス配管１から出力用チーズ４’、４’・・・で分岐して、三層管からなるガス配管で天井のアウトレット（Ｏ）に接続する。この場合も、銅管変換継手５’を介在させている。
【００３５】
このように、主幹ガス管から分岐して供給するガスはループ状のガス配管１に常に供給されており、ガス配管１の任意箇所からチーズ４を介して分岐して出力することができるが、その場合、ループ状であるという性質から、分岐の場所、個数に拘わらず、それぞれが同等のガス圧力で出力を得ることができるものである。
【００３６】
図３は、ガス配管１を水平に並列させて配管する具体的手段の例を示すものである。同図（Ａ）では、外壁面（Ｗ）にＬ字アングル６を取り付け、その水平杆の下面に対して適宜な取付けバンド７を用いてチーズ４を取り付けている。図（Ｂ）では、天井面に直接、適宜な取付けバンド７を用いて取り付けている。また、図（Ｃ）では、天井に配管する際、外壁面（Ｗ）に取り付けたＬ字アングル６の水平杆の上面に対して適宜な取付けバンド７’を用いて取り付けている。なお、チーズ部分のほか、管路の途中においても、ガス配管が弛まないように、適宜なバンド８、８・・でガス配管を指示することは勿論である。
【００３７】
次に、別の実施形態である図４、５において、手術室や集中治療室などの多様なガスを必要とする施設（Ｒ）の外壁面（Ｗ）に沿って１乃至複数のユニットの三層管からなるガス配管１１、１１・・・を無端のループ状に配設することは同じであるが、この実施形態ではガス配管１１を垂直方向に並列して（本図では８本）施設を囲むように配設している。１２はワンタッチ継手を有する入力用チーズで、上記ループ状のガス配管１１の途中にこのワンタッチ継手を介して取り付けたもので、主幹ガス管（図示せず）から分岐した銅管を、途中に適宜な継手により開閉バルブ１３を介在させて接続し、ガス配管１１内に所要のガスを供給するものである。
【００３８】
１４、１４は出力用チーズであるが、その出力側は施設の壁を貫通させて室内に接続継手を直接露出させている。即ち、図６に示すように、例えば断面がπ形状で所定の長さの枠体１５ａに、複数のチーズ１４、１４・・を予め列設固定した取付枠体１５を形成してこれを外壁面に固定するようにし、内壁面に貫通、露出した各チーズの出力側の接続継手がアウトレットとして機能するようにしている。これにより、複数のチーズ１４を一度に取り付けることが可能であり、施工が楽となる。このチーズを有する取付枠体１５は、ガス配管１１の途中の任意の箇所に取り付けることが可能であり、必要に応じてアウトレットを施設の任意の箇所に設置できる。なお、図示しないが、前例同様に天井に設けることも可能である。
【００３９】
上記各実施形態において、ガス配管の複合管の例として、アルミニウム製パイプの内側及び外側を樹脂で被覆してなる三層管を用いている。この三層管は、例えば、図７に示すように屈曲性と強靱性を同時に有する強化アルミニウムパイプ３１の内側及び外側を高耐熱ポリエチレン３２、３３で被覆して三層の構造としたものであり、その取扱いが容易であると共に丈夫でもある。即ち、伸縮特性に優れ、伸びたり撓んだりすることが少なく、また、弾性特性に優れ、容易に屈曲可能であり、屈曲しても反発せずその曲げ形状を維持するものである。また、その屈曲半径が小さいので取り回しが容易であり、設置箇所を選ばないものである。なお、パイプの内側及び外側を被覆する樹脂は、高耐熱ポリエチレンに限定するものではなく、必要に応じて各種樹脂を採用できる。
【００４０】
また、複合管として、銅などの金属製パイプの外側を樹脂で被覆してなる二層管を用いることもある。このような構成の二層管も、上記三層管とほぼ同等の特性を有し、屈曲性と強靱性に優れ、曲げ加工などの取扱いが容易である。そして、この二層管の外側樹脂層の肉厚は、０．２５ｍｍから３．０ｍｍ程度であることが好ましい。これは従来の改装フィルム付銅管のように、極めて薄い肉厚しか有さない場合、曲げ可能に追随せず、該部が裂けてしまうので、改めて塗装、着色する必要があり、多大な手間を要していたからである。
【００４１】
また、複合管として、内側が銅製、外側がアルミニウム製のパイプからなる二層管、または、内側がアルミニウム製、外側が銅製のパイプからなる二層管などの複合管を用いることもある。このような構成の二層管は、銅が展性に優れているため、屈曲性や強靱性があり、曲げ加工が容易であり、アルミニウムは軽量、強靱であるので、配管構造全体の軽量化に寄与する。
【００４２】
そして、これら複合管を使用する場合、ワンタッチ継手や適宜なジョイント等を用いることで、差し込むだけで接続ができるので、施工が容易であり、加工性、作業性に優れ、作業時間の短縮が可能である。また、ろう付けによって外側層が溶けてしまうことがないので、塗装、着色などの後処理を施す必要もない。
【００４３】
また、外側表面の樹脂層は着色が容易なので、ガスの種類ごとに使用する色を予め設定しておけば、その色によりガスの種類が容易に識別することが可能となり、誤認事故を防止することができる。また、美感も向上するものである。
【符号の説明】
【００４４】
１    ガス配管
２    入力用チーズ
３    開閉バルブ
４、４’  出力用チーズ    
５    銅管変換継手
６    Ｌ字アングル
７    取付けバンド
８    バンド
１１    ガス配管
１２    入力用チーズ
１３    開閉バルブ
１４    出力用チーズ
１５    取付枠体
１５ａ  枠体
３１    強化アルミパイプ
３２、３３  耐熱性ポリエチレン
【図１】
2014224596.tif 000003
【図２】
2014224596.tif 000004
【図３】
2014224596.tif 000005
【図４】
2014224596.tif 000006
【図５】
2014224596.tif 000007
【図６】
2014224596.tif 000008
【図７】
2014224596.tif 000009